(57)【特許請求の範囲】
【請求項１】
基布が２枚以上の織布で構成され、前記織布の両端部にシームループを備えたシームフェルトにおいて、該シームフェルトの両端部のそれぞれの近傍に、各織布の両端部にある両シームループ同士の接合の際に使用する一対の結合エレメントからなる結合具の、その各結合エレメントを対向して仮固定し、該結合具は前記シームループ同士の接合数と同数設けたことを特徴とするシームフェルト。
【請求項２】
前記結合具が、スライド式ファスナーであることを特徴とする請求項１に記載のシームフェルト。
【請求項３】
基布が２枚以上の織布で構成され、前記織布の両端部にシームループを備えたシームフェルトにおいて、該シームフェルトの両端部のそれぞれの近傍に、各織布の両端部にある両シームループ同士の接合の際に使用する対の結合エレメントからなる結合具の、対の一方の結合エレメントと他方の結合エレメントとを対向して仮固定し、その一方の結合エレメントの数が１、他方のそれが前記シームループ同士の接合数と同数であることを特徴とするシームフェルト。
【発明の詳細な説明】
【０００１】
【発明の属する技術分野】
本発明は、シームフェルトの両端部を、該部にそれぞれ仮固定した結合具（接合補助具ともいう）を介して互いに引き寄せてシームループを噛み合わせ、それによって出来た共通孔に芯線を通して接合させ得るようにしたシームフェルトに関するものである。
【０００２】
【従来の技術】
一般に、湿紙からの水分を脱水するプレスパートにおいて、プレス脱水量を多くする手段として、ロール加圧を上げる、ロール硬度を上げる、加圧シューにより加圧時間を長くするなどの手法が取り入れられている。このような高加圧パートでは湿紙の搬送と脱水を目的にフエルトを介在させるが、ロールとロール、又はロールとシュープレス用ブランケットとの間に介在させたフエルトは偏平化が早いために、基布に重厚な織布を少なくとも２枚重ね合わせたラミネートフエルトが用いられている。
【０００３】
上記ラミネートフエルトは、固く、重いので、最近では抄紙機への掛け入れ作業を容易にするためにオープンエンドとし、抄紙機上で無端状に接合するシームフェルトの使用が主流となりつつある。このようなオープンエンドのシームフェルトを図５に示す。
【０００４】
上記シームフェルト５１が、図５（ａ）の如く、基布５２に２枚の織布５３、５４を用い、該基布５２にバット繊維５５を積層し、ニードリングにより絡合一体化してなり、かつ、前記織布の両端部にシームループ５３ａと５３ｂ、５４ａと５４ｂを備えている場合において、これらのシームループ５３ａと５３ｂ、及び５４ａと５４ｂを接合させるには、フエルト５１の両端部近傍に結合具５６を構成するエレメント５６ａと５６ｂを仮固定し、該仮固定された前記エレメント５６ａと５６ｂを、図５（ｂ）の如く、結合してフエルト５１の両端部を引き寄せて山型を作り、これにより最下織布のシームループ５４ａと５４ｂとを噛み合わせ、その共通孔に芯線Ｓを挿入して接合する。この場合、山型を作ったままであると、２枚目の織布のループ５３ａと５３ｂとを噛み合わせることができないため、前記結合具５６のエレメント５６ａ及び５６ｂの結合を解除して２枚目の織布のループ５３ａと５３ｂとの接合を行うようにしていた。
【０００５】
【発明が解決しようとする課題】
しかしながら、最下織布のシームループ５４ａと５４ｂとを噛み合わせ、その共通孔に芯線Ｓを挿入して接合した後、前述の如く、前記接合具５６のエレメント５６ａ及び５６ｂとの結合を、図５（ｃ）の如く、解除すると、シームフェルトは長尺にして幅広であり、しかも重量が嵩むことから、シームフェルト５１の両端部は離反する方向（矢印Ｃ１、Ｃ２方向）の力を受け、２枚目の織布のループ５３ａと５３ｂとの噛み合わせがズレてしまい、共通孔（ハッチング部分）が小さくなったり、揃わなくなり、これに芯線を通すのに多くの時間が掛かることがあった。
【０００６】
本発明は上記問題を解消するためのもので、その目的とするところは、２枚以上の織布の両端部に備えた総てのシームループを抄紙機上で楽に接合させ得ることのできるシームフェルトを提供することにある。
【０００７】
【課題を解決するための手段】
上記の目的を達成するため、本発明に係るシームフェルトは、基布が２枚以上の織布で構成され、前記織布の両端部にシームループを備えたシームフェルトにおいて、該シームフェルトの両端部のそれぞれの近傍に、各織布の両端部にある両シームループ同士の接合の際に使用する一対の結合エレメントからなる結合具の、その各結合エレメントを対向して仮固定し、該結合具は前記シームループ同士の接合数と同数設けたことを特徴とし、織布毎にシームループの噛み合わせを確実に、しかも、共通孔が一線上に正確に揃うよう構成した。
【０００８】
また、請求項２に記載の発明に係るシームフェルトは、前記結合具が、スライド式ファスナーであることを特徴とし、スライダーをスライドさせるだけで簡易に、しかも、シームフェルトの両端部を強い力で引き寄せ得るように構成した。
【０００９】
また、請求項３に記載の発明に係るシームフェルトは、基布が２枚以上の織布で構成され、前記織布の両端部にシームループを備えたシームフェルトにおいて、該シームフェルトの両端部のそれぞれの近傍に、各織布の両端部にある両シームループ同士の接合の際に使用する対の結合エレメントからなる結合具の、対の一方の結合エレメントと他方の結合エレメントとを対向して仮固定し、その一方の結合エレメントの数が１、他方のそれが前記シームループ同士の接合数と同数であることを特徴とし、エレメントを節約して低コスト化が図れるように構成した。
【００１０】
【発明の実施の形態】
次に、本発明の実施の形態を図面に基づいて説明する。
図において、１はシームフェルトで、該シームフェルト１は基布２にバット繊維３を積層し、ニードリングにより絡合一体化してなるものであり、基布２が２枚以上の織布４、５で構成され、各織布４、５の両端部にはシームループ４ａと４ｂ、５ａと５ｂを備えている。該シームループ４ａと４ｂ、５ａと５ｂは、織布４、５の縦方向の糸をループを作って折り返して形成したものでも、ループを備えたフック部材を織布４、５の両端部に取り付けたものでもその他でもよいことは勿論である。
【００１１】
前記シームフェルト１の両端部の下面側近傍には、本願接合補助具６を構成する結合エレメント６ａと６ａ′、６ｂと６ｂ′が対向して仮固定されている。この第１段の結合エレメント６ａと６ａ′の先端Ａはフェルトのループ端部ＢよりＬａ（経験的に１０ｍｍ〜３０ｍｍ）だけ内側とすることがよい。これはエレメント６ａと６ａ′を結合したときに、フエルト１の両端部を引き寄せて、図２の如く、山型を作り、これにより最下織布のシームループ５ａと５ｂとを噛み合わせてその共通孔を揃えるために有効に作用する。
【００１２】
また、第２段目の結合エレメント６ｂと６ｂ′の先端Ａ′はフェルトのループ端部ＢよりＬｂ（経験的に１〜２ｍｍ）だけ内側とする。これはエレメント６ｂと６ｂ′との結合を、図３の如く、解除したときに、シームフェルト１の両端部が離反する方向（矢印Ｃ１、Ｃ２方向）の力を受けてもループ４ａと４ｂとの噛み合わせによる共通孔（ハッチング部分）がズレないようにするために有効に機能する。なお、図示していない第３段目以降はエレメントの先端はフェルトのループ端部と一致するか、それより外側になることもある。
【００１３】
前記本願接合補助具６は、その各エレメント６ａと６ａ′、６ｂと６ｂ′を互いに結合させることによりシームフェルト１の両端部を引き寄せてシームループ４ａと４ｂ、５ａと５ｂを互いに噛み合わせさせる機能を備えるためのものであることは前述の通りであり、その機能を備える限り具体的には如何なる構造のものでも良いが、本例ではスライド式ファスナー（ジッパー）を利用している。これはスライダーをスライドさせるだけで簡易に結合でき、しかも、シームフェルトの両端部を強い力で引き寄せ得る構造的特徴を有するからである。
【００１４】
本願接合補助具６の各エレメント６ａと６ａ′、６ｂと６ｂ′はあくまでも仮固定であって、シームループ５ａと５ｂ同士、及び４ａと４ｂ同士を互いに噛み合わせ、その共通孔に芯線を通して接合させた後は、シームフェルト１より除去することとなる。即ち、仮固定とは、シームフェルト１の使用時には除去できる状態での固定をいう。従って、その後の除去が容易となる状態において強固に固定されていることが好ましい。この仮固定として、縫い糸の一端を引くと、縫い付け部が次々と伝染するように解ける「二重環縫い」を利用することが優れている。
【００１５】
前記本願接合補助具６のエレメント６ａと６ａ′、６ｂと６ｂ′は、シームループ４ａと４ｂ、５ａと５ｂの接合数に対応して複数（本例では２個）設けているが、これは図１〜図３の如く、エレメントが双方共に同数（２個づつ）であっても、図４の如く、一方を「１」、他方を複数（２個）設けるようにしてもよいことは勿論である。この後者の場合は、一方のエレメントを共通にするので、その分だけコストの低減化が可能となる。
【００１６】
次に、本願接合補助具６の作用を、図２及び図３に基づいて説明する。シームフェルト１を抄紙機への掛け入れに際し、最下部基布の接合を行う。まず、図２の如く、本願接合補助具６の第１段目の接合エレメント６ａと６ａ′とを結合させる。これによりフエルト１の両端部は引き寄せられて山型が作られ、最下織布５のシームループ５ａと５ｂ同士が噛み合うから、それによりできた共通孔に芯線Ｓを挿入して接合する。
【００１７】
前述の如く、第１段目のエレメント６ａと６ａ′との結合で山型を作ったままであると、２枚目の織布４のシームループ４ａと４ｂ同士は噛み合わないから、図３の如く、前記第１段目のエレメント６ａと６ａ′を解除するとともに、直ちに第２段目のエレメント６ｂと６ｂ′を結合させる。即ち、第１段目のエレメント６ａと６ａ′の結合を解除した時点ではシームフェルトの両端部は離反する方向（矢印Ｃ１、Ｃ２方向）の力を受けるが、第２段目のエレメント６ｂと６ｂ′の結合により２枚目の織布のループ４ａと４ｂ同士はハッチングで示すように共通孔は確実に揃い、芯線を挿入して接合（シーミング）する作業が簡単かつ確実に行えるようになる。
【００１８】
【発明の効果】
以上の如く、本発明に係るシームフェルトは、基布が２枚以上の織布で構成され、前記織布の両端部にシームループを備えたシームフェルトにおいて、該シームフェルトの両端部のそれぞれの近傍に、各織布の両端部にある両シームループ同士の接合の際に使用する一対の結合エレメントからなる結合具の、その各結合エレメントを対向して仮固定し、該結合具は前記シームループ同士の接合数と同数設けたことを特徴としているから、織布毎にシームループの噛み合わせを確実に、しかも、共通孔を一線上に正確に揃えることができ、シーミング作業を大幅に削減できるという優れた効果を奏するものである。
【００１９】
また、請求項２に記載の発明に係るシームフェルトは、前記結合具が、スライド式ファスナーであることを特徴としているから、スライダーをスライドさせるだけで簡易に、しかも、シームフェルトの両端部を強い力で引き寄せ得るという優れた効果を奏するものである。
【００２０】
また、請求項３に記載の発明に係るシームフェルトは、基布が２枚以上の織布で構成され、前記織布の両端部にシームループを備えたシームフェルトにおいて、該シームフェルトの両端部のそれぞれの近傍に、各織布の両端部にある両シームループ同士の接合の際に使用する対の結合エレメントからなる結合具の、対の一方の結合エレメントと他方の結合エレメントとを対向して仮固定し、その一方の結合エレメントの数が１、他方のそれが前記シームループ同士の接合数と同数であることを特徴としているから、シームフェルトの両端部近傍にスライド式ファスナーを対向して仮固定するに当たり、ファスナーエレメントを節約して低コスト化が図れるという優れた効果を奏するものである。
【図面の簡単な説明】
【図１】本願接合用補助具を仮固定したシームフェルトの両端部の対峙状態の略示的断面図である。
【図２】本願接合用補助具の第１段目の結合エレメントを結合させた状態の略示的断面図である。
【図３】本願接合用補助具の第１段目の結合エレメントを結合を解除し、第２段目の結合エレメントを結合させた状態の略示的断面図である。
【図４】本願接合用補助具の他の例を仮固定したシームフェルトの両端部の対峙状態の略示的断面図である。
【図５】従来の接合用補助具を示す断面図で、（ａ）はシームフェルトの両端部の対峙状態、（ｂ）は結合エレメントを結合させた状態、（ｃ）は結合エレメントを結合を解除した状態である。
【符号の説明】
１  シームフェルト
２  基布
３  バット繊維
４、５  織布
４ａと４ｂ、５ａと５ｂ  シームループ
６  本願接合補助具
６ａと６ａ′、６ｂと６ｂ′  結合エレメント
Ａ  第１段の結合エレメントの先端
Ａ′第２段の結合エレメントの先端
Ｂ  フェルトのループ端部
Ｌａ  ＡとＢとの間隔
Ｌｂ  Ａ′Ｂとの間隔
Ｃ１、Ｃ２  矢印方向
Ｓ  芯線
５１  従来のシームフェルト
５２  基布
５３、５４  織布
５３ａと５３ｂ、５４ａと５４ｂ  シームループ
５５  バット繊維
５６  接合補助具
５６ａと６ｂ  結合エレメント
【図１】
0003839622.tif 000002
【図２】
0003839622.tif 000003
【図３】
0003839622.tif 000004
【図４】
0003839622.tif 000005
【図５】
0003839622.tif 000006